(57)【要約】【課題】  表示画像の品質が高められた液晶表示パネルを提供する。【解決手段】  コモンガラス１３のコモン電極１３ａ１，…，１３ａ６，…，１３ａ８４に直接接続されるコモン転移点群１２Ｃ１＿１，１２Ｃ＿２をセグメントガラス１２の左右辺に設けるとともに、コモン電極１３ａ８５，…，１３ａ１６１，１３ａ９２，…，１３ａ１６８に接続されるコモン転移点群１２Ｃ２＿１，１２Ｃ２＿２をセグメントガラス１２の下辺に設けて、コモン電極１３ａ１，…，１３ａ１６８への配線の引き回しを、セグメントガラス１２上だけでなく、コモンガラス１３上にも割り振った。【選択図】    図１
2006215176.tif 000002
【特許請求の範囲】
【請求項１】
所定の画面領域内を第１の方向に延びるセグメント電極が配列されたセグメント基板と前記画面領域と重なる画面領域内を第２の方向に延びるコモン電極が配列されたコモン基板との間に液晶が封止され、セグメント電極とコモン電極との間への電圧印加のオン，オフにより液晶をオン，オフして画像を表示する液晶表示パネルにおいて、
前記セグメント基板が、画面領域の両側に延びる、前記コモン基板上のコモン電極に接続されるコモン電極用配線を有し、該コモン電極用配線が、その終端のコモン基板上に接続される第１のコモン転移点からコモン電極に接続される第１のコモン電極配線と、その終端の第２のコモン転移点から、コモン基板上のコモン電極から延びるコモン電極用配線に接続される第２のコモン電極配線とからなるものであることを特徴とする液晶表示パネル。
【請求項２】
前記セグメント基板上に固定された、前記セグメント電極および前記コモン電極と接続され、これらセグメント電極とコモン電極との間の電圧印加を制御するドライバチップを備え、前記第１のコモン転移点が前記第２のコモン転移点よりも前記ドライバチップから遠方に配置されてなることを特徴とする請求項１記載の液晶表示パネル。
【請求項３】
前記第１のコモン転移点と第２のコモン転移点により、セグメント基板上及びコモン基板上に割り振られた配線に応じ、コモン電極駆動の出力信号順を任意の範囲で、昇順、降順に設定可能なＬＣＤドライバチップ。
【発明の詳細な説明】
【技術分野】
【０００１】
本発明は、セグメント電極が配列されたセグメント基板とコモン電極が配列されたコモン基板との間に液晶が封止され、それらセグメント電極とコモン電極との間への電圧印加のオン，オフにより液晶をオン，オフして画像を表示する液晶表示パネル、および液晶表示パネルを駆動するＬＣＤドライバチップに関する。
【背景技術】
【０００２】
従来より、所定の画面領域内を第１の方向に延びるセグメント電極が配列されたセグメント基板と上記画面領域と重なる画面領域内を第２の方向に延びるコモン電極が配列されたコモン基板との間に液晶が封止され、セグメント電極とコモン電極との間への電圧印加のオン，オフにより液晶をオン，オフして画像を表示する液晶表示パネルが知られている。このような液晶表示パネルとして、ＳＴＮ（Ｓｕｐｅｒ  Ｔｗｉｓｔｅｄ  Ｎｅｍａｔｉｃ）液晶を用いたパッシブマトリクス（単純マトリクス）型の液晶表示パネルが広く普及している。
【０００３】
図４は、従来のパッシブマトリクス型の液晶表示パネルの構造の一例を簡略化して示す図である。
【０００４】
図４（ａ）には、パッシブマトリクス型の液晶表示パネル１００の正面図が示されている。また、図４（ｂ）には、パッシブマトリクス型の液晶表示パネル１００の側面図が示されている。さらに、図４（ｃ）には、パッシブマトリクス型の液晶表示パネル１００の断面図が示されている。
【０００５】
この液晶表示パネル１００には、図４（ａ）に示すように、所定の画面領域１０ａを有するとともに、その画面領域１０ａを除く部分１０ｂにドライバチップ１１が固定されたセグメントガラス１０２が備えられている。また、この液晶表示パネル１００は、所定の画面領域１０ａを取り囲むシーリング部１０ｃを有する。尚、図４（ａ）には、後述するコモン転移部分Ａが示されている。
【０００６】
また、液晶表示パネル１００には、図４（ｂ）に示すように、セグメントガラス１０２の画面領域１０ａを覆うように、コモンガラス１０３と偏光板１４とが重ねられた状態で配備されている。さらに、セグメントガラス１０２の、コモンガラス１０３と偏光板１４とが配備された部分に対向する部分に、偏光板１５が配備されている。
【０００７】
また、液晶表示パネル１００には、図４（ｃ）に示すように、セグメントガラス１０２上に配列されたＩＴＯ（Ｉｎｄｉｕｍ  Ｔｉｎ  Ｏｘｉｄｅ）からなるセグメント電極１０２ａと、カラーフィルタ１６を構成するカラーフィルタ層１６ａと、配向膜１７，１８と、コモンガラス１０３上に配列されたＩＴＯからなるコモン電極１０３ａとが備えられている。また、この液晶表示パネル１００には、セグメントガラス１０２とコモンガラス１０３との間に、シーリング部１０ｃに沿って配備されたシール剤１９で封止された液晶２０が備えられている。さらに、この液晶表示パネル１００には、コモンガラス１０３側に配備されて光を照射するバックライト部２１も備えられている。
【０００８】
図５は、図４に示す液晶表示パネルを構成するセグメントガラスおよびコモンガラスの平面図である。
【０００９】
図５（ａ）には、セグメントガラス１０２の平面図が示されている。また、図５（ｂ）には、コモンガラス１０３の平面図が示されている。
【００１０】
図５（ａ）に示すセグメントガラス１０２には、そのセグメントガラス１０２上に固定されたドライバチップ１１から、画面領域１０ａ内において、縦方向に延びる多数のセグメント電極１０２ａが配列されている。また、このセグメントガラス１０２には、ドライバチップ１１から、画面領域１０ａの両側に縦方向に延びる多数のコモン電極用配線１０２ｂが配列されている。これら多数のコモン電極用配線１０２ｂは、コモン転移部分Ａに設けられた多数のコモン転移点１０２ｃに接続されている。
【００１１】
一方、図５（ｂ）に示すコモンガラス１０３には、上記画面領域１０ａと重なる画面領域１０ｂ内を横方向に延びる多数のコモン電極１０３ａが配列されている。セグメントガラス１０２上に固定されたドライバチップ１１からコモン電極１０３ａへの接続は、ドライバチップ１１→コモン電極用配線１０２ｂ→コモン転移点１０２ｃ→シール剤１９に含まれている導電粒子→コモン電極１０３ａの配線経路で行なわれる。
【００１２】
このように構成された液晶表示パネル１００では、セグメント電極１０２ａとコモン電極１０３ａとの間への電圧印加のオン，オフおよびバックライト部２１からの光の照射により液晶２０をオン，オフして画像を表示する。
【００１３】
上述した構造を有するパッシブマトリクス型の液晶表示パネルにおいて、より多くの画素とより大きな表示領域が確保された液晶表示パネル（例えば、特許文献１参照）や、配線パターンの抵抗を小さくして表示品位が高められた液晶表示パネル（例えば、特許文献１参照）が提案されている。
【特許文献１】特開２０００−２５００５９号公報
【特許文献２】特開２００３−２２２８９６号公報
【発明の開示】
【発明が解決しようとする課題】
【００１４】
従来の、特許文献１，２に提案された液晶表示パネルを含む液晶表示パネルでは、セグメントガラス上に固定されたドライバチップから、コモンガラス上に配列されたコモン電極への接続にあたり、セグメントガラスの、画面領域の両側に延びる多数のコモン電極用配線が必要とされる。
【００１５】
近年、液晶表示パネルの画素数の増加に伴い、コモン電極数も増加する。すると、セグメントガラスの、画面領域の両側に延びるコモン電極用配線も増加することとなる。ここで、セグメントガラスの、画面領域におけるコモン電極用配線が配列される部分は、表示領域以外のごくわずかな部分である。このため、コモン電極用配線が増加すると、１コモン電極あたりのコモン電極用配線は細くなる。また、図５（ａ）に示すように、セグメントガラスの上部側におけるコモン電極用配線ほど細く且つ長くなる。その結果、セグメントガラスの上部側におけるコモン電極用配線が高抵抗化するという現象が生じる。すると、ドライバチップからの画像表示用の信号波形が鈍るとともに、セグメントガラスとコモンガラスとの間におけるインピーダンスマッチングの精度も低下し、これに伴いクロストークや輝度むら等による画質劣化が生じ、従って表示画像の品質が低下するという問題が発生する。
【００１６】
本発明は、上記事情に鑑み、表示画像の品質が高められた液晶表示パネルを提供することを目的とする。
【課題を解決するための手段】
【００１７】
上記目的を達成する本発明の液晶表示パネルは、所定の画面領域内を第１の方向に延びるセグメント電極が配列されたセグメント基板と上記画面領域と重なる画面領域内を第２の方向に延びるコモン電極が配列されたコモン基板との間に液晶が封止され、セグメント電極とコモン電極との間への電圧印加のオン，オフにより液晶をオン，オフして画像を表示する液晶表示パネルにおいて、
上記セグメント基板が、画面領域の両側に延びる、上記コモン基板上のコモン電極に接続されるコモン電極用配線を有し、そのコモン電極用配線が、その終端のコモン基板上に接続される第１のコモン転移点から直接にコモン電極に接続される第１のコモン電極配線と、その終端の第２のコモン転移点から、コモン基板上のコモン電極から延びるコモン電極用配線に接続される第２のコモン電極配線とからなるものであることを特徴とする。
【００１８】
本発明の液晶表示パネルは、上記構成のため、コモン電極への配線の引き回しが、セグメント基板上だけでなく、コモン基板上にも割り振られる。その結果、セグメント基板におけるコモン電極への配線領域を十分に確保することができる。従って、コモン電極用の配線を太くすることができ、これに伴いクロストークや輝度むら等による画質劣化が抑えられて、表示画像の品質が高められる。
【００１９】
ここで、上記セグメント基板上に固定された、上記セグメント電極および上記コモン電極と接続され、これらセグメント電極とコモン電極との間の電圧印加を制御するドライバチップを備え、上記第１のコモン転移点が上記第２のコモン転移点よりも上記ドライバチップから遠方に配置されてなることが好ましい。
【００２０】
第１のコモン電極配線は、第１のコモン転移点から直接にコモン電極に接続される。一方、第２のコモン電極配線は、第２のコモン転移点からコモン電極用配線を介してコモン電極に接続される。そこで、このようにすると、ドライバチップから出力される画像表示用の信号波形全体の鈍りを小さく抑えることができる。
【発明の効果】
【００２１】
本発明の液晶表示パネルによれば、表示画像の品質を高めることができる。
【発明を実施するための最良の形態】
【００２２】
以下、図面を参照して本発明の実施の形態を説明する。
【００２３】
図１は、本発明の一実施形態の液晶表示パネルの、セグメントガラスおよびコモンガラスの平面図である。
【００２４】
尚、本発明の一実施形態の液晶表示パネルの構造は、図４に示す液晶表示パネル１００の構造と比較し、セグメントガラス１０２，コモンガラス１０３がセグメントガラス１２，コモンガラス１３に置き換えられている点を除いて同じであるため、本発明の一実施形態の液晶表示パネルの構造については図示省略する。また、図４に示す液晶表示パネル１００の構成要素と同じ構成要素には同一の符号を付して説明する。
【００２５】
図１（ａ）には、本発明の一実施形態の液晶表示パネルを構成するセグメントガラス１２（本発明にいうセグメント基板の一例に相当）の平面図が示されている。また、図１（ｂ）には、本発明の一実施形態の液晶表示パネルを構成するコモンガラス１３（本発明にいうコモン基板の一例に相当）の平面図が示されている。尚、本発明の一実施形態の液晶表示パネルは、１２８×１６８サイズの液晶表示パネルである。
【００２６】
図１（ａ）に示すセグメントガラス１２には、所定の画面領域１０ａ内を縦方向（本発明にいう第１の方向に相当）に延びるセグメント電極１２ａ１，…，１２ａ３８４が配列されている。
【００２７】
また、図１（ｂ）に示すコモンガラス１３には、画面領域１０ａと重なる画面領域１０ｂ内を横方向（本発明にいう第２の方向に相当）に延びる、詳細は後述するコモン電極１３ａ１，…，１３ａ１６８が配列されている。本実施形態は、１６８本のコモン電極１３ａ１，…，１３ａ１６８への配線引き回しを、セグメントガラス１２上に８４本、コモンガラス１３上に８４本、それぞれ割り当てる例である。
【００２８】
図１（ａ）に示すセグメントガラス１２は、画面領域１０ａの両側に延びる、コモンガラス１３上のコモン電極１３ａ１，…，１３ａ１６８に接続されるコモン電極用配線群１２Ｂ１＿１，１２Ｂ１＿２，１２Ｂ２＿１，１２Ｂ２＿２を有する。尚、これらコモン電極用配線群１２Ｂ１＿１，１２Ｂ１＿２，１２Ｂ２＿１，１２Ｂ２＿２が、本発明にいうコモン電極用配線の一例に相当する。
【００２９】
ここで、コモン電極用配線群１２Ｂ１＿１は、コモン電極用配線１２ｂ１，…，１２ｂ７，…，１２ｂ７１，…，１２ｂ７７（本発明にいう第１のコモン電極配線の一例に相当）から構成されている。また、コモン電極用配線群１２Ｂ１＿２は、コモン電極用配線１２ｂ８，…，１２ｂ１５，…，１２ｂ７８，…，１２ｂ８４（本発明にいう第１のコモン電極配線の他の一例に相当）から構成されている。
【００３０】
さらに、コモン電極用配線群１２Ｂ２＿１は、コモン電極用配線１２ｂ８５，…，１２ｂ１６１（本発明にいう第２のコモン電極配線の一例に相当）から構成されている。また、コモン電極用配線群１２Ｂ２＿２は、コモン電極用配線１２ｂ９２，…，１２ｂ１６８（本発明にいう第２のコモン電極配線の他の一例に相当）から構成されている。
【００３１】
また、図１（ａ）に示すセグメントガラス１２は、コモン電極用配線群１２Ｂ１＿１，１２Ｂ１＿２，１２Ｂ２＿１，１２Ｂ２＿２に接続されるコモン転移点群１２Ｃ１＿１，１２Ｃ１＿２，１２Ｃ２＿１，１２Ｃ２＿２を有する。尚、コモン転移点群１２Ｃ１＿１，１２Ｃ１＿２は、コモン転移点群１２Ｃ２＿１，１２Ｃ２＿２よりも、ドライバチップ１１から遠方に配置されている。
【００３２】
ここで、コモン転移点群１２Ｃ１＿１は、コモン転移点１２ｃ１，…，１２ｃ７，…，１２ｃ７１，…，１２ｃ７７（本発明にいう第１のコモン転移点の一例に相当）から構成されている。また、コモン転移点群１２Ｃ１＿２は、コモン転移点１２ｃ８，…，１２ｃ１５，…，１２ｃ７８，…，１２ｃ８４（本発明にいう第１のコモン転移点の他の一例に相当）から構成されている。
【００３３】
さらに、コモン転移点群１２Ｃ２＿１は、コモン転移点１２ｃ８５，…，１２ｃ１６１（本発明にいう第２のコモン転移点の一例に相当）から構成されている。また、コモン転移点群１２Ｃ２＿２は、コモン転移点１２ｃ９２，…，１２ｃ１６８（本発明にいう第２のコモン転移点の他の一例に相当）から構成されている。
【００３４】
一方、図１（ｂ）に示すコモンガラス１３には、コモン転移点群１２Ｃ１＿１，１２Ｃ１＿２から直接に接続されるコモン電極１３ａ１，…，１３ａ６，…，１３ａ８４が配列されている。
【００３５】
さらに、コモンガラス１３には、コモン電極１３ａ８５，…，１３ａ１６１が配列されている。これらコモン電極１３ａ８５，…，１３ａ１６１には、これらコモン電極１３ａ８５，…，１３ａ１６１から延びるコモン電極用配線１３ｂ８５，…，１３ｂ１６１が設けられている。コモン電極用配線１３ｂ８５，…，１３ｂ１６１の終端には、接続点１３ｃ８５，…，１３ｃ１６１が設けられている。
【００３６】
同様にして、コモンガラス１３には、コモン電極１３ａ９２，…，１３ａ１６８が配列されている。これらコモン電極１３ａ９２，…，１３ａ１６８には、これらコモン電極１３ａ９２，…，１３ａ１６８から延びるコモン電極用配線１３ｂ９２，…，１３ｂ１６８が設けられている。コモン電極用配線１３ｂ９２，…，１３ｂ１６８の終端には、接続点１３ｃ９２，…，１３ｃ１６８が設けられている。このように、本実施形態では、コモン電極１３ａ８５，…，１３ａ１６８への配線が、コモンガラス１３上に割り当てられている。尚、残りのコモン電極１３ａ１，…，１３ａ８４への配線に関しては、既存技術と同様にしてセグメントガラス１２上に割り当てられている。これにより、セグメントガラス１２上の配線の本数は、従来の液晶表示パネルの場合と比較し、１／２となり、液晶表示パネルの額縁の配線領域に余裕ができる。単純に考えると、配線の幅を２倍にすることができる。配線の抵抗値は、配線の断面積に反比例するので、引き回される配線の低抵抗化が可能となる。
【００３７】
ここで、セグメントガラス１２上に固定されたドライバチップ１１からコモンガラス１３に配列されたコモン電極１３ａ１，…，１３ａ８４への接続は、ドライバチップ１１→コモン電極用配線群１２Ｂ１＿１，１２Ｂ１＿２→コモン転移点群１２Ｃ１＿１，１２Ｃ１＿２→導電粒子（図示せず）→コモン電極１３ａ１，…，１３ａ８４の配線経路で行なわれる。
【００３８】
また、ドライバチップ１１からコモンガラス１３に配列されたコモン電極１３ａ８５，…，１３ａ１６１への接続は、ドライバチップ１１→コモン電極用配線群１２Ｂ２＿１→コモン転移点群１２Ｃ２＿１→導電粒子→接続点１３ｃ８５，…，１３ｃ１６１→コモン電極用配線１３ｂ８５，…，１３ｂ１６１→コモン電極１３ａ８５，…，１３ａ１６１の配線経路で行なわれる。
【００３９】
同様にして、ドライバチップ１１からコモンガラス１３に配列されたコモン電極１３ａ９２，…，１３ａ１６８への接続は、ドライバチップ１１→コモン電極用配線群１２Ｂ２＿２→コモン転移点群１２Ｃ２＿２→導電粒子→接続点１３ｃ９２，…，１３ｃ１６８→コモン電極用配線１３ｂ９２，…，１３ｂ１６８→コモン電極１３ａ９２，…，１３ａ１６８の配線経路で接続される。
【００４０】
図２は、図１に示すドライバチップを拡大して示した図である。
【００４１】
図２に示すドライバチップ１１には、図１（ａ）に示すセグメントガラス１２に配列されたセグメント電極１２ａ１，…，１２ａ３８４に接続されるセグメント電極用端子１１ａ１，…，１１ａ３８４が備えられている。
【００４２】
また、このドライバチップ１１には、セグメントガラス１２に配列されたコモン電極用配線群１２Ｂ１＿１，１２Ｂ１＿２，１２Ｂ２＿１，１２Ｂ２＿２に接続されるコモン電極用端子１１ｂ１，…，１１ｂ７，１１ｂ１５，…，１１ｂ１６０，１１ｂ１６１およびコモン電極用端子１１ｂ８，…，１１ｂ１４，１１ｂ２２，…，１１ｂ１６７，１１ｂ１６８が備えられている。
【００４３】
さらに、このドライバチップ１１には、図示しないＭＰＵ  Ｉ／Ｆとの間で信号のやり取りを行なうためのＩ／Ｆ用端子１１＿１，１１＿２，…，１１＿ｎ−１，１１＿ｎが備えられている。
【００４４】
このドライバチップ１１は、セグメント電極１２ａ１，…，１２ａ３８４とコモン電極１３ａ１，…，１３ａ１６８との間の電圧印加のオン，オフにより、セグメントガラス１２とコモンガラス１３との間に封止された液晶をオン，オフして画像を表示する。
【００４５】
本実施形態の液晶表示パネルは、図１（ａ）に示すように、コモン電極１３ａ１，…，１３ａ６，…，１３ａ８４に直接接続されるコモン転移点群１２Ｃ１＿１，１２Ｃ＿２をセグメントガラス１２の左右辺に設けるとともに、コモン電極１３ａ８５，…，１３ａ１６１，１３ａ９２，…，１３ａ１６８に接続されるコモン転移点群１２Ｃ２＿１，１２Ｃ２＿２をセグメントガラス１２の下辺に設けることにより、コモン電極１３ａ１，…，１３ａ１６８への配線の引き回しが、セグメントガラス１２上だけでなく、一部（コモン電極１３ａ８５，…，１３ａ１６１，１３ａ９２，…，１３ａ１６８から延びるコモン用配線１３ｂ８５，…，１３ｂ１６１，１３ｂ９２，…，１３ｂ１６８）がコモンガラス１３上にも割り振られている。このため、セグメントガラス１２の上部側におけるコモン電極用の配線は太く、従ってセグメントガラス１２の上部側におけるコモン電極用配線が高抵抗化するという現象を防止することができ、これに伴いクロストークや輝度むら等による画質劣化が抑えられて、表示画像の品質が高められる。
【００４６】
尚、本実施形態は、１６８本のコモン電極１３ａ１，…，１３ａ１６８への引き回しを、セグメントガラス１２上に８４本、コモンガラス１３上に８４本、それぞれ割り当てる例で説明したが、これに限られるものではなく、コモン電極への配線の引き回しの、セグメントガラスおよびコモンガラスヘの割り振り配分は、任意であってよい。
【００４７】
また、本実施形態におけるドライバチップ１１は、セグメントガラス１２とコモンガラス１３とに割り振られる配線に応じて自在に駆動設定可能なドライバチップである。このため、セグメントガラス１２上の配線のシート抵抗値と、コモンガラス１３上の配線のート抵抗値におおよそ反比例して、コモン電極への配線の引き回しを、セグメントガラス１２、コモンガラス１３に割り振ることができる。
【００４８】
また、このドライバチップ１１は、コモン電極への信号の出力順を昇順・降順に、任意の範囲で選択することが可能である。本実施形態のように、セグメントガラス１２とコモンガラス１３とにコモン電極用配線を割り振った場合、コモン電極用配線１２ｂ１，…，１２ｂ８４については昇順に、コモン電極用配線１２ｂ８５，…，１６８については降順に出力することが好ましい。
【００４９】
一般に、液晶駆動には、二乗平均電圧が適用され、この駆動電圧の誤差（ばらつき）が表示品質劣化の大きな原因のひとつとなっている。この駆動電圧誤差に関わっているのが、コモン電極用の駆動電圧波形の鈍りである。セグメントガラスとコモンガラスとに挟まれた各ピクセルの液晶は、電気的にキャパシタ（Ｃ）と等価になり、さらに、コモン電極用の配線の抵抗値（ＩＴＯ抵抗値Ｒ）を考慮すると、コモン電極用の駆動電圧波形（Ｖｃｏｍ）の立ち上がりは、
Ｖｃｏｍ＝Ｖ［１−ｅｘｐ（−ｔ／ＣＲ）］      …式１
と表わすことができる。この式１におけるＲのほとんどは、ドライバチップの出力とコモン電極間の配線の引き回しによるものである。例えば、本実施形態に示したように、コモン電極への配線の引き回しを、セグメントガラスとコモンガラスとに半分ずつに割り振った場合、配線領域を、従来の液晶表示パネルの配線領域の２倍確保することができる。これにより、コモン電極への引き回しの配線の幅を２倍にすることができ、配線抵抗も１／２に抑えることができる。
【００５０】
図３は、本実施形態の液晶表示パネルと従来の液晶表示パネルとにおけるコモン電極用の駆動電圧波形を示す図である。
【００５１】
図３に示すグラフＡは、本実施形態の液晶表示パネルにおける、上記式１により試算したコモン電極用の駆動電圧波形（Ｖｃｏｍ）が示されている。また、図３に示すグラフＢは、従来の液晶表示パネルにおける、上記式１により試算したコモン電極用の駆動電圧波形（Ｖｃｏｍ）が示されている。図３から分かるように、グラフＡの波形の立ち上がり（駆動電圧波形の９０％における電圧Ｖの到達時間）について５０％の改善がなされている。また、液晶駆動電圧への影響を見るために、立ち下がり部分も考慮し、二乗平均電圧換算（積分による面積換算）すると約２６％程度の改善がなされており、画質劣化防止に大きな効果がもたらされる。
【００５２】
また、本実施形態のドライバチップは、コモン駆動電圧出力を任意の範囲で、昇順・降順に選択可能であり、セグメントガラスおよびコモンガラスヘのコモン電極に対する配線の割り振りも任意に設定することができる。このため、セグメントガラス、コモンガラスの設計の自由度は高く、従って液晶表示パネルの設計の自由度が広がる。
【図面の簡単な説明】
【００５３】
【図１】本発明の一実施形態の液晶表示パネルの、セグメントガラスおよびコモンガラスの平面図である。
【図２】図１に示すドライバチップを拡大して示した図である。
【図３】本実施形態の液晶表示パネルと従来の液晶表示パネルとにおけるコモン電極用の駆動電圧波形を示す図である。
【図４】従来のパッシブマトリクス型の液晶表示パネルの構造の一例を簡略化して示す図である。
【図５】図４に示す液晶表示パネルを構成するセグメントガラスおよびコモンガラスの平面図である。
【符号の説明】
【００５４】
１０ａ，１０ｂ  画面領域
１１  ドライバチップ
１１ａ１，…，１１ａ３８４  セグメント電極用端子
１１ｂ１，…，１１ｂ１６８  コモン電極用端子
１１＿１，１１＿２，…，１１＿ｎ−１，１１＿ｎ  Ｉ／Ｆ用端子
１２  セグメントガラス
１２ａ１，…，１２ａ３８４  セグメント電極
１２Ｂ１＿１，１２Ｂ１＿２，１２Ｂ２＿１，１２Ｂ２＿２  コモン電極用配線群
１２ｂ１，…，１２ｂ１６８，１３ｂ８５，…，１３ｂ１６８  コモン電極用配線
１２Ｃ１＿１，１２Ｃ１＿２，１２Ｃ２＿１，１２Ｃ２＿２  コモン転移点群
１２ｃ１，…，１２ｃ１６８  コモン転移点
１３  コモンガラス
１３ａ１，…，１３ａ１６８  コモン電極
１３ｃ８５，…，１３ｃ１６１，１３ｃ９２，…，１３ｃ１６８  接続点
【図１】
2006215176.tif 000003
【図２】
2006215176.tif 000004
【図３】
2006215176.tif 000005
【図４】
2006215176.tif 000006
【図５】
2006215176.tif 000007